(57)【要約】【課題】軽量化及び低コスト化を図ることができる浄水器用水栓を提供する。【解決手段】浄水器用水栓１３は、一次側通水管１７、二次側通水管１８及びカバー体１９から構成されている。前記カバー体１９は、下端側が開口された有底円筒状をなすように、ステンレス製の管材からプレス形成されたものであり、中空状をなす内部は一次側通水管１７及び二次側通水管１８等を収容するための収容空間１９ａとされている。前記収容空間１９ａ内には、前記各通水管１７，１８を位置決め保持するための位置決め部材２２が支持固定されている。この位置決め部材２２は、前記収容空間１９ａの内周面に周縁が当接する円板状をなしており、複数の貫通孔２２ａを備えている。そして、前記各通水管１７，１８は、いずれも非鉛金属製の導管に形成され、前記各貫通孔２２ａにそれぞれ挿通嵌合されている。【選択図】　　　　図２
2004124449.tif 000002
【特許請求の範囲】
【請求項１】
給水側から給水された水を浄水器に導水する給水側導水路と、浄水器にて浄化した水を水栓本体から延出形成された吐出口へ導水する吐水側導水路とを備えた浄水器用水栓において、
前記水栓本体を内側に収容空間が形成されたカバー体で構成すると共に、前記給水側導水路と吐水側導水路とを非鉛金属製の通水管にて各々構成し、当該各通水管を前記カバー体に内装支持した浄水器用水栓。
【請求項２】
前記カバー体は、金属製の板材又は管材からプレス形成されたものである請求項１に記載の浄水器用水栓。
【請求項３】
前記カバー体の収容空間内には前記各通水管を位置決め保持するための位置決め部材が支持固定されている請求項１又は請求項２に記載の浄水器用水栓。
【発明の詳細な説明】
【０００１】
【発明の属する技術分野】
本発明は、例えばビルトインタイプの浄水器等のように水栓本体とは別体構成の浄水器に接続使用される浄水器用水栓に関するものである。
【０００２】
【従来の技術】
一般に、この種の水栓は、水道配管等の給水側から給水された水を浄水器に導水する給水側導水路と、浄水器にて浄化した水（浄水）を水栓本体から延出形成された吐出口へ導水する吐水側導水路とを備えている。前記水栓本体は、内部に前記給水側導水路の一部を構成する一次側通水路と前記吐水側導水路の一部を構成する二次側通水路を有する構造に鋳物成形されたものであり、各通水路の入口及び出口に対して給水管や吐出管がロウ付けなどにより接続されている。そして、前記一次側通水路内に外部操作可能な開閉弁が付設され、当該開閉弁の開放操作に基づき前記吐出口から浄水が吐出されるようにされていた。
【０００３】
しかしながら、前述した鋳物成形による水栓本体は、耐食性、切削加工性に優れる鉛含有銅合金材からなることが多いため、その材料成分中には微量ながらも鉛を含有することになる。そのため、このような鉛が前記一次側及び二次側の各通水路を流れる水の中に溶出した場合には、法令（日本工業規格ＪＩＳ）で規定する水道水の鉛基準値（例えば、平成９年では０．０４７ｍｇ／Ｌ）を上回ってしまうおそれがある。
【０００４】
そこで、近時においては、一旦、鋳物成形により前記水栓本体を作った後に、前記一次側及び二次側の各通水路の内表面に被膜を形成し、当該被膜によって各通水路を流れる水道水中に水栓本体からの鉛が溶出しないように図った技術が提案されている（例えば、特許文献１）。また、前記被膜の形成に代え、例えばアルカリ系エッチング液中へ水栓本体を浸すことにより、各通水路の内表面から鉛を除去する技術も提案されている（例えば、特許文献２）。
【０００５】
【特許文献１】
特開平２００１−５９０７３号公報（段落番号「０００８」〜段落番号「００２８」）
【特許文献２】
特開平１０−７２６８３号公報（段落番号「０００８」〜段落番号「００１６」）
【０００６】
【発明が解決しようとする課題】
ところが、前記特許文献１に記載の技術では、水栓本体の鋳造成形後にスプレー法や印刷法等により被膜を形成するためのコーティング工程が必要になり、その分、製造コストがかかるという問題があった。また、前記特許文献２に記載の技術でも、鉛除去に使用するアルカリ系エッチング液の調整等という煩わしい作業工程が加わるため、製造コストがかかるという問題があった。さらに、前記特許文献１及び２に記載の技術にて製造される水栓本体は、依然として鋳物成形により通水路部分以外は中実に形成されているために、中空の部材等と比較して重量があり、組み付けにあたっての作業負担が大きいという問題があった。
【０００７】
本発明は上記問題点を解決するためになされたものであり、その目的は、軽量化及び低コスト化を図ることができる浄水器用水栓を提供することにある。
【０００８】
【課題を解決するための手段】
上記目的を達成するために、請求項１に記載の発明は、給水側から給水された水を浄水器に導水する給水側導水路と、浄水器にて浄化した水を水栓本体から延出形成された吐出口へ導水する吐水側導水路とを備えた浄水器用水栓において、前記水栓本体を内側に収容空間が形成されたカバー体で構成すると共に、前記給水側導水路と吐水側導水路とを非鉛金属製の通水管にて各々構成し、当該各通水管を前記カバー体に内装支持したことを要旨とする。
【０００９】
請求項２に記載の発明は、請求項１に記載の浄水器用水栓において、前記カバー体は、金属製の板材又は管材からプレス形成されたものであることを要旨とする。
【００１０】
請求項３に記載の発明は、請求項１又は請求項２に記載の浄水器用水栓において、前記カバー体の収容空間内には前記各通水管を位置決め保持するための位置決め部材が支持固定されている請求項１又は請求項２に記載のことを要旨とする。
【００１１】
【発明の実施の形態】
（第１実施形態）
以下、本発明をビルトイン型の浄水器用水栓システムに具体化した一実施形態を図１〜図４に従って説明する。
【００１２】
図１に示すように、本実施形態の浄水器用水栓システム１１は、給水管１２、浄水器用水栓１３、浄水器１４、及び、浄水器用水栓１３と浄水器１４とを連結する浄水器用ホース１５を備えている。前記給水管１２は樹脂製の導管であり、その給水側の一端が分岐水栓（図示しない。）を介して湯水混合水栓（図示しない。）の水用の水栓に連結され、その他端は前記浄水器用水栓１３に連結されている。前記浄水器１４は円柱形状をなすケーシングの内部に活性炭等を有する取り替え可能なカートリッジを備えた公知の浄水器である。また、前記浄水器用ホース１５は、給水側から給水された水を浄水器用水栓１３から浄水器１４に導水する一次側ホース１５ａと、浄水器１４にて浄化された水（浄水）を浄水器１４から浄水器用水栓１３に導水する二次側ホース１５ｂとを備えている。
【００１３】
すなわち、前記浄水器用水栓システム１１は、給水側から分岐用水栓を介して供給された水が、給水管１２、浄水器用水栓１３、一次側ホース１５ａ、浄水器１４、二次側ホース１５ｂ、浄水器用水栓１３の順に流れ、その後に、浄水器用水栓１３に備えられた吐出口１６から吐出される構成となっている。
【００１４】
次に、前記浄水器用水栓１３について詳細に説明する。
図２に示すように、浄水器用水栓１３は、給水側導水路としての一次側通水管１７、吐水側導水路としての二次側通水管１８及び水栓本体としてのカバー体１９から構成されている。そして、前記浄水器用水栓１３は、前記一次側通水管１７及び二次側通水管１８の一部が流し台の天板２０に形成された貫通孔２０ａを上下方向に貫通する状態で天板２０に取付支持されている。
【００１５】
まず、カバー体１９について説明すると、前記カバー体１９は前記貫通孔２０ａを覆うようにして天板２０上に配置されている。このカバー体１９は、下端側が開口された有底円筒状をなすように、ステンレス製の管材からプレス形成されたものであり、中空状をなす内部は前記一次側通水管１７及び二次側通水管１８等を収容するための収容空間１９ａとされている。そして、このカバー体１９は、前記天板２０上への配置状態において、前記収容空間１９ａが天板２０の貫通孔２０ａと連通する構成となっている。また、カバー体１９における側壁の一部及び上壁の中心部には、それぞれ貫通孔１９ｂ，１９ｃが形成され、側壁の下部外周面には雄ねじ部１９ｄが形成されている。
【００１６】
次に、前記一次側通水管１７は、非鉛金属製（本実施形態では、ステンレス製。）の導管であり、その給水側の一端には流入部１７ａが形成され、その吐水側の他端には流出部１７ｂが形成されている。そして、前記流入部１７ａ及び流出部１７ｂは、それぞれ所定のホース取付金具により、前記給水管１２及び一次側ホース１５ａと連結されている。すなわち、一次側通水管１７は、天板２０の下方で給水管１２に接続された流入部１７ａから天板２０の貫通孔２０ａを貫通して、一旦、同天板２０上に配置されたカバー体１９の収容空間１９ａ内まで延設されている。そして、カバー体１９の収容空間１９ａ内に位置する屈曲部１７ｃにて屈曲された後、前記貫通孔２０ａを介して再び天板２０の下方へ垂下されることにより、その流出部１７ｂが前記一次側ホース１５ａに接続される構成となっている。従って、図４（ａ）に示すように、一次側通水管１７は組付状態において逆Ｕ字状をなすように配置され、給水管１２から給水された水を浄水器１４に接続された一次側ホース１５ａに導水し得る構成となっている。
【００１７】
また、図２及び図４（ａ）に示すように、前記一次側通水管１７の収容空間１９ａ内に位置する部分の所定位置には、前記カバー体１９の貫通孔１９ｂと対応するように挿通孔１７ｄが形成されている。そして、同貫通孔１９ｂ及び挿通孔１７ｄには、一次側通水管１７内を流通する水の流量を調節するための開閉弁装置２１が、カバー体１９の外部から開閉操作可能に、軸部２１ａの先端部に固着された弁体２１ｂが一次側通水管１７内に位置するようにして挿通支持されている。前記弁体２１ｂは、一次側通水管１７の内径と同径の円板状をなしており、前記開閉弁装置２１の回動（開閉）操作に基づき、一次側通水管１７内で軸部２１ａと共に回動し得る構成となっている。
【００１８】
図３（ａ）に示すように、一次側通水管１７は、開閉弁装置２１の回動（開閉）操作により弁体２１ｂの周縁部が一次側通水管１７の内周面に当接する状態（以下、止水状態という。）になると、水の流通が遮断される構成となっている。そして、一次側通水管１７は、その止水状態から開閉弁装置２１の回動（開閉）操作により弁体２１ｂが回動されるに従って次第に水の流通が許容され、図３（ｂ）に示すように、前記弁体２１ｂが一次側通水管１７の軸線方向に沿う状態（以下、通水状態という。）になると、水の流量が最大になる構成とされている。このように、前記浄水器用水栓１３にあっては、給水管１２から供給された水を浄水器１４に導水する一次側通水管１７の所定位置に開閉弁装置２１を設けている。従って、この開閉弁装置２１よりも給水側から見て吐出側（二次側）に配設される浄水器１４には止水状態において水圧がかからない構成となっている。
【００１９】
一方、前記二次側通水管１８は、非鉛金属製（本実施形態では、ステンレス製。）の導管であり、その給水側の一端には流入部１８ａが形成され、その吐水側の他端には流出部１８ｂが形成されている。そして、前記流入部１８ａは所定のホース取付金具により二次側ホース１５ｂと連結されている。すなわち、二次側通水管１８は、天板２０の下方で二次側ホース１５ｂに接続された流入部１８ａから天板２０の貫通孔２０ａを貫通して天板２０上に配置されたカバー体１９の収容空間１９ａ内まで一直線状に延設され、同収容空間１９ａ内で前記流出部１８ｂが前記吐出口１６と連結されている。従って、二次側通水管１８は、浄水器１４から導出された水（浄水）を吐出口１６に導水し得る構成とされている。
【００２０】
また、図２に示すように、前記カバー体１９の収容空間１９ａ内には、一次側通水管１７及び二次側通水管１８を位置決め保持するための位置決め部材２２が支持固定されている。この位置決め部材２２は前記収容空間１９ａの内周面に周縁が当接する円板状をなしており、図２及び図４（ｃ）に示すように、３つの貫通孔２２ａが形成されている。そして、その３つの貫通孔２２ａのうち中心部に形成された一つの貫通孔２２ａに直線状をなす二次側通水管１８が挿通嵌合されると共に、残り２つの貫通孔２２ａに一次側通水管１７が逆Ｕ字状をなすように挿通嵌合され、それらの挿通嵌合状態にて前記両通水管１７，１８は位置決め保持される構成となっている。
【００２１】
図２に示すように、前記カバー体１９における上壁の貫通孔１９ｃには略円筒状をなす吐出口取付金具２３（図４（ｆ）参照。）が挿通支持され、当該吐出口取付金具２３は、上端部側の外周面に形成されたフランジ部２３ａが前記カバー体１９の上壁面にろう付けされることによりカバー体１９に固定支持されている。そして、この吐出口取付金具２３に対して下方から二次側通水管１８の流出部１８ｂが圧入嵌合され、この圧入嵌合での連結状態により、二次側通水管１８は吐出口取付金具２３を介してカバー体１９に吊り下げ支持される構成となっている。
【００２２】
一方、前記吐出口取付金具２３の上端開口部からは、図２に示すように、逆Ｊ字状をなす吐出口１６の下端部が挿入されている。吐出口１６の下端部側の所定位置と前記吐出口取付金具２３の下端部側の所定位置とには、図４（ｆ），（ｇ）に示すように、それぞれ取付ねじ２４を差し込むための同径のねじ孔１６ａ，２３ｂが貫通形成されている。そして、吐出口１６は、前記各ねじ孔１６ａ，２３ｂの位置が一致するようにして吐出口取付金具２３に挿入された状態で、吐出口取付金具２３に対し取付ねじ２４によってねじ止めされている。従って、このねじ止めされた状態において、吐出口１６は、吐出口取付金具２３に対して変位しない構成となっている。
【００２３】
また、図２及び図４（ｆ）に示すように、前記吐出口取付金具２３におけるフランジ部２３ａよりも上側の外周面には、雄ねじ部２３ｃが形成されている。そして、同雄ねじ部２３ｃには、吐出口取付金具２３に上方から吐出口１６が挿入された状態で、ワッシャー及びＯリングを介して袋ナット２５が螺合固定されている。従って、吐出口１６及び二次側通水管１８は、吐出口取付金具２３を介して、カバー体１９に支持固定される構成となっている。
【００２４】
また、図２及び図４（ｅ）に示すように、前記天板２０の貫通孔２０ａには、略円筒形状をなす取付金具２６が取り付けられている。取付金具２６の上部外周面には前記貫通孔２０ａよりも径大の外向きフランジ２７が形成されており、同外向きフランジ２７の周縁部からは上方に向けて円筒状をなす大径部２８が形成されている。そして、前記取付金具２６は、外向きフランジ２７よりも下方の小径部２９を前記貫通孔２０ａに上方から挿通させた状態において、前記外向きフランジ２７が天板２０の上面に引っかかることにより、天板２０に支持される構成となっている。即ち、その支持状態において、取付金具２６は、大径部２８が天板２０の上方に、小径部２９が天板２０の下方にそれぞれ配置される構成となっている。
【００２５】
また、図２及び図４（ｅ）に示すように、前記取付金具２６における大径部２８の内周面には雌ねじ部２８ａが形成されており、この雌ねじ部２８ａに対して前記カバー体１９の側壁下部外周面の雄ねじ部１９ｄが螺合する構成とされている。一方、前記取付金具２６における小径部２９の下部外周面には雄ねじ部２９ａが形成されており、この雄ねじ部２９ａに対してナット３０が螺合する構成とされている。従って、この小径部２９の雄ねじ部２９ａに螺合されたナット３０が天板２０に下方から当接し、前記外向きフランジ２７とナット３０とで天板２０を挟持固定することにより、取付金具２６は天板２０に支持される構成となっている。そして、その取付金具２６における大径部２８の雌ねじ部２８ａにカバー体１９の雄ねじ部１９ｄが螺合することによって、カバー体１９は、取付金具２６を介して天板２０上に支持固定される構成となっている。
【００２６】
なお、取付金具２６は、ナット３０が小径部２９の雄ねじ部２９ａとの螺合が解除されることにより、天板２０から取り外しし得る構成となっている。
次に、浄水器用水栓システム１１の組み立て手順について説明する。
【００２７】
本実施形態の浄水器用水栓システム１１は、予め一体構成物として組み立てられた浄水器用水栓１３と、給水管１２、浄水器１４及び浄水器用ホース１５とを連結することで組み立てられる。従って、まず、浄水器用水栓１３の組み立て手順について説明する。
【００２８】
さて、まず始めに、図４（ａ），（ｂ），（ｃ）に示す一次側通水管１７及び二次側通水管１８を、位置決め部材２２の貫通孔２２ａに挿通嵌合させて位置決めする。一方で、図４（ｄ）に示すカバー体１９の上壁に形成された貫通孔１９ｃに、図４（ｆ）に示す吐出口取付金具２３を挿通支持させる。そして、同吐出口取付金具２３をフランジ部２３ａがカバー体１９の上面に係止された状態でろう付けしておく。
【００２９】
次に、カバー体１９に固定された吐出口取付金具２３の下端開口部に、位置決め部材２２を介して一次側通水管１７と共に位置決め保持されている二次側通水管１８の流出部１８ｂを圧入嵌合し、二次側通水管１８と吐出口取付金具２３とを連結固定する。また、吐出口取付金具２３の上端開口部には、図４（ｇ）に示す吐出口１６の下端部を、同吐出口１６側のねじ孔１６ａと吐出口取付金具２３側のねじ孔２３ｂとが一致するようにして差込み嵌合する。そして、その状態において吐出口１６と吐出口取付金具２３とを取付ねじ２４によりねじ止め固定する。その結果、吐出口１６と二次側通水管１８とが吐出口取付金具２３内にて連結される。その後、吐出口取付金具２３の上部外周面の雄ねじ部２３ｃに、ワッシャ及びＯリングを介して袋ナット２５を締め付け固定する。
【００３０】
次に、開閉弁装置２１をカバー体１９に組み付ける。まず、一次側通水管１７内に、弁体２１ｂを流入部１７ａから挿入し、一次側通水管１７の管内を挿通孔１７ｄの位置まで摺動移動させる。そして、カバー体１９側壁の貫通孔１９ｂから挿入した開閉弁装置２１の軸部２１ａの先端を更に一次側通水管１７の前記挿通孔１７ｄ内に挿入して弁体２１ｂに固着する。なお、その際の固着方法としては、例えば弁体２１ｂ側に雌ねじ孔を形成しておき、同雌ねじ孔に軸部２１ａの先端部に形成した雄ねじ部を螺合させるなど、適宜の方法が採用可能である。以上のような手順を経て、一体構成物としての浄水器用水栓１３の組立が完了する。
【００３１】
次に、一体構成物として組み立てられた浄水器用水栓１３と他の部材との組み立て手順について説明する。まず、天板２０上に取付金具２６を取り付け固定する。すなわち、まず始めに、取付金具２６の小径部２９を天板２０の貫通孔２０ａに挿入し、外向きフランジ２７を天板２０の上面に引っかけて、取付金具２６を天板２０上に仮止めする。その状態で、天板２０の下方に位置する小径部２９の雄ねじ部２９ａにナット３０を螺合させ、同ナット３０と外向きフランジ２７とで天板２０を押圧挟持するようにして、取付金具２６を天板２０に固定する。
【００３２】
そして次に、前記各通水管１７，１８の下端側が天板２０の貫通孔２０ａを上下方向へ貫通した状態で、カバー体１９を取付金具２６に対して回動させる。すると、カバー体１９側の雄ねじ部１９ｄと取付金具２６における大径部２８側の雌ねじ部２８ａとが螺合される結果、カバー体１９と取付金具２６とが連結固定され、浄水器用水栓１３は天板２０上に取り付けられる。
【００３３】
次に、浄水器１４に一次側ホース１５ａ及び二次側ホース１５ｂを連結する。その後、天板２０の下方に配置された一次側通水管１７の流入部１７ａ及び流出部１７ｂに、それぞれ給水管１２及び一次側ホース１５ａを連結させる。また、二次側通水管１８の流入部１８ａには、二次側ホース１５ｂを連結させる。そして、以上の手順を経ることにより、浄水器用水栓システム１１の組み立てが終了する。
【００３４】
次に、本実施形態の浄水器用水栓システム１１の作用について説明する。
さて、開閉弁装置２１の回動操作によって、図３（ａ）に示すように、弁体２１ｂの周縁部が一次側通水管１７の内周面に当接した止水状態にあるときには、浄水器用水栓システム１１に水は流通しない。また、前記弁体２１ｂによる遮断機能により、浄水器１４には、給水側からの水圧はかからない。
【００３５】
次に、開閉弁装置２１の回動操作によって、前記止水状態から弁体２１ｂが回動すると、一次側ホース１５ａへの水の流通が許容され、浄水器用水栓システム１１に水が流通し始める。そして、更なる開閉弁装置２１の回動操作によって、図３（ｂ）に示すように、弁体２１ｂが通水状態の位置になると、浄水器用水栓システム１１に、最も勢いよく水が流通する。
【００３６】
すなわち、給水側から給水管１２に給水された水は、一次側通水管１７、一次側ホース１５ａ、浄水器１４、二次側ホース１５ｂ、二次側通水管１８、吐出口１６の順に流通し、吐出口１６にて外部に吐水される。また、その際において、一次側通水管１７及び二次側通水管１８は共に非鉛金属製（本実施形態では、ステンレス製。）の管材であるため、これら各通水管１７，１８を介して吐出側へ流通する水の中に鉛分が溶出することもない。
【００３７】
従って、上記実施形態によれば、以下のような効果を得ることができる。
（１）上記実施形態では、水栓本体としてのカバー体１９は、中空状をなす内部を一次側通水管１７及び二次側通水管１８等の収容空間１９ａとした有底円筒状をなす中空の部材に形成されている。従って、鋳物成形により各通水管１７，１８に相当する通水路部分以外は中実に形成された従来の水栓本体の場合と比較して軽量であるため、浄水器用水栓システム１１の組み立てにあたって、作業負担の軽減を図ることができる。
【００３８】
（２）上記実施形態では、一次側通水管１７及び二次側通水管１８を非鉛金属製（本実施形態では、ステンレス製。）の導管から形成した。
従って、水道水中への鉛の溶出を防止するために、わざわざ、各通水管１７，１８の内面に被膜を形成するコーティング工程や、各通水管１７，１８の内面部分から鉛分を除去する工程を行う必要がない。そのため、それらの工程を省略した分、製造コストを抑えることができる。
【００３９】
（３）上記実施形態では、水栓本体としてのカバー体１９は、下端側が開口された有底円筒状をなすように、管材からプレス形成されたものとしている。
従って、従来技術のように、水栓本体を、内部に通水路を有するように鋳物成形し、さらに各通水管１７，１８の入口及び出口に対して給水管や吐出管等をろう付け等により接続するような場合と比較して、水栓本体の製造が容易であり、製造コストの低減及び量産化を図ることができる。
【００４０】
（４）上記実施形態では、一次側通水管１７及び二次側通水管１８は、位置決め部材２２に形成された３つの貫通孔２２ａに挿通嵌合されることによって相互に位置決め保持される構成となっている。
【００４１】
従って、浄水器用水栓システム１１の使用時等において、一次側通水管１７及び二次側通水管１８が揺動等することなく、安定した状態に保つことができる。
（５）上記実施形態では、浄水器用水栓システム１１に流通する水を、浄水器１４よりも給水側に設けられた開閉弁装置２１の回動操作によって制御する構成となっている。
【００４２】
従って、浄水器１４は、水を使用しない状態、すなわち弁体２１ｂの周縁部が一次側通水管１７の内周面に当接した止水状態にあるときには、水圧がかからないため、浄水器１４の不用意な破損を防止することができる。
【００４３】
（６）上記実施形態では、取付金具２６の天板２０に対する固定を、取付金具２６における小径部２９の雄ねじ部２９ａに対するナット３０の螺合に基づいて行った。また、カバー体１９と取付金具２６との固定も、カバー体１９側の雄ねじ部１９ｄと取付金具２６における大径部２８の雌ねじ部２８ａとの螺合によって行った。さらに、吐出口取付金具２３と吐出口１６とは、取付ねじ２４によりねじ止めされている。
【００４４】
従って、浄水器用水栓１３の解体は、各部材の螺合を解除することにより容易に行うことができるため、浄水器用水栓１３の修理が必要な場合や、廃棄を行う場合等に便利である。
【００４５】
なお、上記実施形態は以下のような別の実施形態（別例）に変更してもよい。
○上記実施形態では、カバー体１９の収容空間１９ａ内に一次側通水管１７及び二次側通水管１８の一部分を収容する構成としたが、一次側通水管１７及び二次側通水管１８の全体を収容してもよい。
【００４６】
○上記実施形態では、カバー体１９を管材からプレス形成したが、板材からプレス形成してもよい。また、円筒状の管材の一端側開口部に円形状の板材を接合するなどプレス形成によらずに形成してもよい。
【００４７】
○上記実施形態では、ステンレス製のカバー体１９を用いたが、カバー体１９の材料はなんでもよい。
○上記実施形態では、位置決め部材２２によって、一次側通水管１７及び二次側通水管１８を位置決め保持したが、このような位置決め部材２２は必ずしもなくてよい。
【００４８】
○また、上記実施形態では、円板状の位置決め部材２２を用いたが、前記各通水管１７，１８をカバー体１９の収容空間１９ａ内で位置決め保持が可能であれば、位置決め部材２２の形状・構造は上記実施形態のものに限定されない。
【００４９】
○上記実施形態のカバー体１９における側壁の所定位置に、収容空間１９ａ内を確認可能なのぞき窓を設けてもよい。例えば、前記収容空間１９ａ内に浄水器１４のカートリッジ汚れ具合を示す表示装置を配設しておき、前記のぞき窓から浄水器１４の有するカートリッジの交換時期等を確認できるようにすれば便利であり、設計の自由が広がる。
【００５０】
次に、上記実施形態及び各別例から把握できる技術的思想について、それらの効果と共に以下に記載する。
（１）前記給水側導水路を構成する通水管内には前記カバー体に付設された開閉弁装置の外部操作に基づき開閉動作する弁体が設けられている請求項１〜３のうちいずれか一項に記載の浄水器用水栓。
【００５１】
従って、この（１）に記載の発明によれば、水を使用しない止水状態の場合に、給水側から浄水器に水圧がかかるのを防止することができる。
（２）前記カバー体には当該カバー体内を目視により確認可能なのぞき窓が形成されていることを特徴とする請求項１〜３又は技術的思想（１）のうちいずれか一つに記載の浄水器用水栓。
【００５２】
従って、この（２）に記載の発明によれば、例えば、メンテナンス時等において、カバー体内の収容空間に内装支持された通水管等を浄水器用水栓を解体することなく目視により外部から確認することができる。
【００５３】
【発明の効果】
以上詳述したように、本発明によれば、軽量化及び低コスト化を図ることができる。
【図面の簡単な説明】
【図１】本実施形態の浄水器用水栓システムを示す概略説明図。
【図２】天板上に取り付けられた浄水器用水栓の概略断面図。
【図３】（ａ）は弁体が止水状態時の位置にある一次側通水管の要部破断面図、（ｂ）は弁体が通水状態時の位置にある一次側通水管の要部破断面図。
【図４】（ａ）〜（ｇ）は、浄水器用水栓を構成する各部材の概略図。
【符号の説明】
１３…浄水器用水栓、１４…浄水器、１６…吐出口、１７…給水側導水路としての一次側通水管、１８…吐水側導水路としての二次側通水管、１９…水栓本体としてのカバー体、１９ａ…収容空間、２２…位置決め部材。
【図１】
2004124449.tif 000003
【図２】
2004124449.tif 000004
【図３】
2004124449.tif 000005
【図４】
2004124449.tif 000006